【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
単位画素が配列された画素部と、
前記画素部の各単位画素から読み出されたアナログの画素信号に基づき、互いに相補関係を持つ２種類の相補信号を生成する相補信号生成部と、
前記２種類の相補信号を伝送する２種類の相補の信号線と、
前記２種類の相補信号のそれぞれを、前記相補の信号線上で転送させる水平走査部と、
前記２種類の相補の信号線上の信号を差動入力で受けて比較する差動増幅部と
を備えたことを特徴とする固体撮像装置。
【請求項２】
前記画素部は、前記単位画素が行列状に配列されており、
前記画素部の各単位画素からアナログの画素信号を読み出す垂直走査部をさらに備えた
ことを特徴とする請求項１に記載の固体撮像装置。
【請求項３】
前記画素部の各単位画素から読み出されたアナログの画素信号をデジタルデータに変換するＡＤ変換部をさらに備え、
前記２種類の相補信号は、相補のビットデータである
ことを特徴とする請求項１に記載の固体撮像装置。
【請求項４】
前記２種類の相補の信号線上の各信号をそれぞれ増幅する相補信号増幅部をさらに備え、
前記差動増幅部は、前記相補信号増幅部で増幅された各信号を差動入力で受けて比較する
ことを特徴とする請求項１記載の固体撮像装置。
【請求項５】
前記相補信号増幅部は、増幅した信号に基づき前記相補の信号線上の信号振幅を抑制する方向に働く帰還回路
を有することを特徴とする請求項４に記載の固体撮像装置。
【請求項６】
前記相補の信号線の電位をプルダウンする駆動トランジスタを具備した第１のレベル調整部と、
前記相補の信号線の電位をプルアップする負荷トランジスタを具備した第２のレベル調整部とを備え、
前記帰還回路は、前記増幅した信号を前記負荷トランジスタの制御入力端に供給するように構成されている
ことを特徴とする請求項５に記載の固体撮像装置。
【請求項７】
前記プルアップ時の電位を所定範囲に抑制する第３のレベル調整部
を備えていることを特徴とする請求項６に記載の固体撮像装置。
【請求項８】
前記第３のレベル調整部は、前記相補の信号線と基準電位との間に順方向で接続されたダイオードを有する
ことを特徴とする請求項７に記載の固体撮像装置。
【請求項９】
単位画素が行列状に配列された画素部と、
前記画素部の各単位画素からアナログの画素信号を読み出す垂直走査部と、
前記画素部の各単位画素から読み出されたアナログの画素信号に基づき、互いに相補関係を持つ２種類の相補信号を生成する相補信号生成部と、
前記２種類の相補信号を伝送する２種類の相補の信号線と、
前記２種類の相補信号のそれぞれを、前記相補の信号線上で転送させる水平走査部と、
前記２種類の相補の信号線上の信号を差動入力で受けて比較する差動増幅部と、
前記垂直走査部および前記水平走査部を制御するための制御情報を生成する主制御部と
を備えたことを特徴とする撮像装置。
【請求項１０】
互いに相補関係を持つ２種類の相補のビットデータに対応する相補情報を伝送する２種類の相補の信号線と、
前記２種類の相補情報のそれぞれを、前記相補の信号線上で転送させる走査部と、
前記２種類の相補の信号線上の相補情報をそれぞれ増幅する相補信号増幅部と、
前記相補信号増幅部で増幅された各信号を差動入力で受けて比較する差動増幅部と
を備えたことを特徴とする電子機器。
【請求項１１】
前記相補信号増幅部は、増幅した信号に基づき前記相補の信号線上の信号振幅を抑制する方向に働く帰還回路
を有することを特徴とする請求項１０に記載の電子機器。
【請求項１２】
前記相補の信号線の電位をプルダウンする駆動トランジスタを具備した第１のレベル調整部と、
前記相補の信号線の電位をプルアップする負荷トランジスタを具備した第２のレベル調整部を備え、
前記帰還回路は、前記増幅した信号を前記負荷トランジスタの制御入力端に供給するように構成されている
ことを特徴とする請求項１１に記載の電子機器。
【請求項１３】
前記プルアップ時の電位を所定範囲に抑制する第３のレベル調整部
を備えていることを特徴とする請求項１２に記載の電子機器。
【請求項１４】
前記第３のレベル調整部は、前記相補の信号線と基準電位との間に順方向で接続されたダイオードを有する
ことを特徴とする請求項１３に記載の電子機器。
【請求項１５】
前記差動増幅部から出力された情報を所定のタイミングで取り込み保持するデータ保持部
をさらに備えたことを特徴とする請求項１０に記載の電子機器。
【手続補正２】
【補正対象書類名】明細書
【補正対象項目名】００８９
【補正方法】変更
【補正の内容】
【００８９】
本願明細書において、参照信号SLP_ADC の変化を開始した時点から参照信号SLP_ADC と画素信号電圧Ｖｘが同一になるまでの前半期間でカウント処理を行なうことを、実数のカウント処理とも称する。一方、参照信号SLP_ADC と画素信号電圧Ｖｘが同一になった時点からその回の最大ＡＤ変換期間に到達する時点までの後半期間でカウント処理を行なうことを、補数のカウント処理とも称する。
【手続補正３】
【補正対象書類名】明細書
【補正対象項目名】０１２４
【補正方法】変更
【補正の内容】
【０１２４】
一方、画素信号電圧Ｖｘ_1についてはＰ相処理およびＤ相処理ともに第２処理例を適用するので、先ず、Ｐ相処理期間として用意されるＤrm＝１２８カウント期間において、参照信号SLP_ADC と画素信号電圧Ｖｘ_0との比較を電圧比較部２５２にて行ない、画素信号電圧Ｖｘ_1のリセットレベルＳrst_1 と参照信号SLP_ADC が一致する５０カウント目で電圧比較部２５２の比較出力COMP（＝COMPOUT1）が反転し、さらに、カウントイネーブル信号EN（＝ PCOMPOUT1）も反転（COMPOUT1と PCOMPOUT1は逆相）し、この時点からカウンタ部２５４はダウンカウントを開始してＤrm＝１２８カウント目でカウント動作を停止する。したがって、カウンタ部２５４は、“１２８−５０＝７８”クロック分をダウンカウン
トするので、Ｐ相処理終了後には“−７８”を保持することになる。
【手続補正４】
【補正対象書類名】明細書
【補正対象項目名】０１２５
【補正方法】変更
【補正の内容】
【０１２５】
次にＤ相処理期間として用意されるＤrm＋Ｄsm＝１２８＋４０９６カウント期間において、参照信号SLP_ADC と画素信号電圧Ｖｘ_1との比較を電圧比較部２５２にて行ない、画素信号電圧Ｖｘ_1の信号レベルＳsig_1 と参照信号SLP_ADC が一致する２０００カウント目で電圧比較部２５２の比較出力COMP（＝COMPOUT1）が反転し、さらに、カウントイネーブル信号EN（＝ PCOMPOUT1）も反転（COMPOUT1と PCOMPOUT1は逆相）し、この時点からカウンタ部２５４はアップカウントを開始してＤrm＋Ｄsm＝１２８＋４０９６カウント目でカウント動作を停止する。
【手続補正５】
【補正対象書類名】明細書
【補正対象項目名】０１４５
【補正方法】変更
【補正の内容】
【０１４５】
以上のＡＤ変換期間終了後、水平走査部１２による制御の元で、データ記憶・転送出力部２５６に保持されたＰ相とＤ相のそれぞれｎビットのデジタルデータＤｐ，Ｄｄがそれぞれ相補データＱｐ，ｘＱｐ，Ｑｄ，ｘＱｄとして２＊２＊ｎ本の水平信号線１８，１８ｘを経て、順次デジタル演算部２９へ転送される。つまり、カラム回路２５は、各回のカウント結果をリセットレベルＳrst に関する相補データＱｐ，ｘＱｐと信号レベルＳsig に関する相補データＱｄ，ｘＱｄとしてデジタル演算部２９へ出力する。デジタル演算部２９は、相補データＱｐ，ｘＱｐに基づき元のデジタルデータＤｐを再生するとともに、相補データＱｄ，ｘＱｄに基づき元のデジタルデータＤｄを再生する。その後、再生したデータＤｐ，Ｄｄを使って“Ｄｄ−Ｄｐ”の差分処理を行なうことで、信号成分Ｖsig に関するＡＤ変換データＤsig を取得する。その後、順次行ごとに同様の動作が繰り返され
ることで２次元画像が生成される。
【手続補正６】
【補正対象書類名】明細書
【補正対象項目名】０２１０
【補正方法】変更
【補正の内容】
【０２１０】
一方、動作点の側面では、バイアスレベルが一致せずに、 BUS増幅部として機能する第２振幅レベル変更部４１７のアンプ出力端の動作点とxBUS増幅部として機能する第２振幅レベル変更部４１７ｘのアンプ出力端の動作点とが一致していないときには、図６Ｅに示すように、入力情報と差動増幅部４１８で再生される電圧情報ＶＤが示す再生情報との間にズレが生じる。図６Ｅでは僅かのズレで示しているが、アンプ出力端の動作点が大きくズレたときには、情報を再生できないことも起こり得る。
【手続補正７】
【補正対象書類名】図面
【補正対象項目名】図２Ａ
【補正方法】変更
【補正の内容】
【図２Ａ】
2008288953.tif 000001
【手続補正８】
【補正対象書類名】図面
【補正対象項目名】図４Ａ
【補正方法】変更
【補正の内容】
【図４Ａ】
2008288953.tif 000002